(57)【要約】【課題】虫に電撃を与える捕虫器において、殺虫能力を維持しながら、電極部への印加電圧を下げることで電撃音を小さくする。【解決手段】捕虫器１は、筐体５内に誘虫源２を有し、誘虫源２と筐体５の開口部５１ａ、５２ａとの間には、誘虫源２側から順に、陽極３１と陰極３２とで構成される電極部３と、粘着部４とが夫々複数配置されている。粘着部４の配置間隔Ｌ２は平均して陽極３１と陰極３２の配置間隔Ｌ１の平均値よりも広い。大型の虫Ｂ１は粘着部４で捕獲し、粘着部４の間を通過した中型又は小型の虫Ｂ１だけを電極部３で電撃殺虫することができるので、電撃殺虫に必要な陽極３１と陰極３２間の電圧を下げることができ、従って、電撃音を小さくできる。また、電圧を下げることで、電撃殺虫できる虫Ｂ１の大きさが制限されたとしても、その大きさ以上の虫Ｂ１は粘着部４により捕殺でき、殺虫能力を維持できる。【選択図】図２
2010142207.tif 000002
【特許請求の範囲】
【請求項１】
誘虫源と、前記誘虫源により誘われる虫に電撃を与える対を成す陽極と陰極とで構成される電極部と、前記誘虫源により誘われる虫を捕獲するための粘着部と、前記誘虫源、電極部及び粘着部を収容し、該誘虫源により誘われる虫が通過する開口部を有する筐体と、を備えた捕虫器において、
前記電極部は、前記誘虫源と前記筐体の開口部との間に配置されており、
前記粘着部は、前記電極部と前記筐体の開口部との間に複数、離散して配設されており、該粘着部の配置間隔は、平均して前記電極部の陽極と陰極の配置間隔よりも広いことを特徴とする捕虫器。
【請求項２】
前記粘着部の配置間隔は、前記誘虫源に近づくに連れて、狭くなっていることを特徴とする請求項１に記載の捕虫器。
【請求項３】
前記粘着部は、粘着層と離形層とが交互に積層され、該粘着層から離形層を剥がすことが可能とされていることを特徴とする請求項１又は請求項２に記載の捕虫器。
【発明の詳細な説明】
【技術分野】
【０００１】
本発明は、ハエ又は蚊等の飛翔性を有する虫を誘引し、捕獲する捕虫器に関する。
【背景技術】
【０００２】
従来から、捕虫器の一種として、誘虫源と、その誘虫源により誘われる虫に電撃を与えて殺虫する電極部とを備えた電撃殺虫器が知られている（例えば、特許文献１参照）。また、捕虫率を高めるため、電撃殺虫器に加えて、さらに、虫を粘着させて捕獲する粘着部を備えた捕虫器が知られている（例えば、特許文献２参照）。
【０００３】
上記の各種捕虫器においては、電撃殺虫時に大きな電撃音が生じるので、ユーザが不快感を覚えることがある。そのため、電撃音の低減が望まれていた。電撃音を小さくするためには、電撃殺虫器の電極部への印加電圧を下げることが考えられるが、そのようにした場合、大型の虫を殺虫することが難しくなることがあり、殺虫能力が落ちる虞がある。
【特許文献１】特開２００２−５１６８１号公報
【特許文献２】特開２００５−１３２３２号公報
【発明の開示】
【発明が解決しようとする課題】
【０００４】
本発明は、上記の従来の問題を解決するためになされたものであり、虫を誘って電極部の陽極と陰極とにより虫に電撃を与える捕虫器において、殺虫能力を維持しながら、陽極と陰極間の印加電圧を下げることで電撃音を小さくすることができ、電撃音に起因してユーザが感じる不快感を抑えることができる捕虫器を提供することを目的とする。
【課題を解決するための手段】
【０００５】
上記目的を達成するために請求項１の発明は、誘虫源と、前記誘虫源により誘われる虫に電撃を与える対を成す陽極と陰極とで構成される電極部と、前記誘虫源により誘われる虫を捕獲するための粘着部と、前記誘虫源、電極部及び粘着部を収容し、該誘虫源により誘われる虫が通過する開口部を有する筐体と、を備えた捕虫器において、前記電極部は、前記誘虫源と前記筐体の開口部との間に配置されており、前記粘着部は、前記電極部と前記筐体の開口部との間に複数、離散して配設されており、該粘着部の配置間隔は、平均して前記電極部の陽極と陰極の配置間隔よりも広いものである。
【０００６】
請求項２の発明は、請求項１に記載の捕虫器において、前記粘着部の配置間隔は、前記誘虫源に近づくに連れて、狭くなっているものである。
【０００７】
請求項３の発明は、請求項１又は請求項２に記載の捕虫器において、前記粘着部は、粘着層と離形層とが交互に積層され、該粘着層から離形層を剥がすことが可能とされているものである。
【発明の効果】
【０００８】
請求項１の発明によれば、大型の虫は粘着部で捕獲し、粘着部の間を通過した中型又は小型の虫だけを電極部で電撃殺虫することができるので、電撃殺虫するのに必要な陽極と陰極間の電圧を下げることができ、従って、電撃音を小さくすることができ、電撃音に起因してユーザが感じる不快感を抑えることができる。また、電極間の電圧を下げることで、電撃殺虫できる虫の大きさが制限されたとしても、その大きさ以上の虫は粘着部により捕殺することができ、従って、殺虫能力を維持することができる。
【０００９】
請求項２の発明によれば、電極部から離れた粘着部で大型の虫を捕獲し、その粘着部よりも電極部に近い粘着部で中型の虫を捕獲し、これら粘着部を通過した小型の虫だけを電極部で電撃殺虫することができるので、電撃殺虫するのに必要な陽極と陰極間の電圧をさらに下げることができ、従って、電撃音をさらに小さくすることができる。
【００１０】
請求項３の発明によれば、粘着層から離形層を剥がすだけで新たな粘着面を露出させることができるので、粘着面の再生作業が簡単となる。
【発明を実施するための最良の形態】
【００１１】
本発明の一実施形態に係る捕虫器について図面を参照して説明する。図１は、本実施形態に係る捕虫器の構成を示す。この捕虫器１は、ハエ又は蚊等の飛翔性を有する虫Ｂ１を誘引し、これら虫Ｂ１を捕獲するものであり、虫が多い屋外空間、又は屋外空間に面した建物内の空間等に設置される。捕虫器１は、誘虫源２と、誘虫源２により誘われる虫Ｂ１に電撃を与える電極部３と、虫Ｂ１を捕獲するための粘着部４と、誘虫源２、電極部３及び粘着部４を収容する略箱状の筐体５とを備える。筐体５は、その前面５１及び背面５２に、虫Ｂ１が通過する開口部５１ａ、５２ａを有する。筐体５の下部には、殺傷されて落ちる虫Ｂ１を回収する、上面が開口した箱状の回収箱５３が出し入れ可能に収容されている。
【００１２】
誘虫源２は、誘虫光である紫外線を発する直管形状の捕虫用蛍光灯、又は高輝度放電灯等の光源で構成でき、筐体５内の略中央に略垂直に立てられて配設されている。誘虫源２は、その両端が着脱自在にソケット２１に保持されており、ソケット２１を介して不図示の電源から給電される。誘虫源２から発せられる紫外線は、その波長成分が虫Ｂ１の走光曲線又は視感度曲線に基づいて設定されており、例えば、誘虫効果の高い、波長が略３６５［ｎｍ］である紫外線を含む。誘虫源２は、誘虫効果を有する光源であれば、その構成は特に限定されない。
【００１３】
電極部３は、棒状電極で構成されており、誘虫源２と筐体５の開口部５１ａ、５２ａとの間にそれぞれ、横向きに、複数本、縦に１列ずつ配設されている。電極部３の配置はこれに限定されず、電極部３は例えば格子状に配置されていてもよい。
【００１４】
粘着部４は、虫Ｂ１を粘着させる粘着材で構成されており、棒状である。粘着部４は、筐体５の開口部５１ａ側の電極部３と開口部５１ａとの間、及び開口部５２ａ側の電極部３と開口部５２ａとの間にそれぞれ、複数本、離散して配設されており、具体的には縦に例えば２列ずつ並んでいる。粘着部４の形状及び配置は上記に限定されない。
【００１５】
回収箱５３は、電極部３及び粘着部４の下方に配置されており、電極部３からの電撃を受けて殺傷された虫Ｂ１、又は粘着部４の粘着材が付着して飛翔できなくなった虫Ｂ１を回収する。回収箱５３には水が張られ、回収箱５３は水盤とされていてもよい。
【００１６】
図２は、電極部３の構成と、電極部３及び粘着部４の配置例とを示す。電極部３は、対を成す陽極３１と陰極３２とで構成され、複数設けられている。各電極部３の陽極３１と陰極３２は縦方向に交互に配置されており、不図示の電源から電圧が印加される。
【００１７】
電極部３の対を成す陽極３１と陰極３２の配置間隔は、殺虫対象とする虫Ｂ１の大きさよりも小さい間隔に設定されている。虫Ｂ１の体が陽極３１と陰極３２との間に一部でも入ると、絶縁破壊が生じ、陽極３１と陰極３２とは、放電により虫Ｂ１に電撃を与え、虫Ｂ１を殺傷する。電極部３は、縦方向に、図示のようにランダムに配置されていても、所定の間隔でもって配置されていてもよい。陽極３１と陰極３２は、同じ電極部３か又は異なる電極部３かに拘らず、等間隔に配置されていることが望ましい。
【００１８】
ここで、陽極３１と陰極３２の配置間隔を、陽極３１と陰極３２とが同じ電極部３か又は異なる電極部３かに拘らずＬ１とする。この配置間隔Ｌ１の平均値と、陽極３１と陰極３２の間に印加する電圧は、捕虫器１の配置予定箇所とユーザとの間の予想距離と、この予想距離に基づいて算定される、ユーザに聞こえる電撃音量に応じて設定されている。配置間隔Ｌ１の平均値は例えば略３〜１０［ｍｍ］であり、印加電圧は例えば略１５００〜４０００［Ｖ］であることが望ましい。
【００１９】
粘着部４の各列の縦方向の配置間隔Ｌ２は、平均して、陽極３１と陰極３２の配置間隔Ｌ１の平均値よりも広い。例えば、陽極３１と陰極３２の配置間隔Ｌ１の平均値を略１０［ｍｍ］とした場合には、粘着部４の配置間隔Ｌ２の平均値は１０［ｍｍ］よりも広くする。粘着部４の配置間隔Ｌ２及び本数は、捕獲対象の虫の大きさ又は数に応じて決められている。
【００２０】
図３（ａ）（ｂ）は、粘着部４の構成を示す。粘着部４は、軸４１の周りにシート状の粘着層４２と離形層４３とが交互に巻かれて積層されたロール状である。離形層４３はその下層の粘着層４２から剥がすことが可能とされている。軸４１は筐体５の側壁部の内側で回転自在に軸支されていることが望ましい。また、粘着層４２及び離形層４３の所定の位置には、剥がした粘着層４２又は離形層４３を引き裂き易くするため、切れ目が入れられていることが望ましい。
【００２１】
上記のように構成された本実施形態の捕虫器１においては、大型の虫Ｂ１は粘着部４で捕獲し、粘着部４の間を通過した中型又は小型の虫Ｂ１だけを電極部３で電撃殺虫することができる。従って、電撃殺虫するのに必要な陽極３１と陰極３２間の電圧を下げることができる。このため、電撃音を小さくすることができ、電撃音に起因してユーザが感じる不快感を抑えることができる。また、電極間の電圧を下げることで、電撃殺虫できる虫Ｂ１の大きさが制限されたとしても、その大きさ以上の虫は粘着部４により捕殺することができ、従って、殺虫能力を維持することができる。また、電極部３による電撃回数を減らすことができ、電極部３の長寿命化を図ることができる。
【００２２】
また、粘着部４は粘着層４２から離形層４３を剥がすだけで新たな粘着面を露出させることができるので、粘着面の再生作業が簡単となる。また、直管形状の誘虫源２は略垂直に立てられ、棒状の電極部３及び粘着部４は横向きに配置されており、筐体５の前後のどちらから見ても直交しているので、誘虫源２が一部でも見える範囲を広くすることができる。従って、誘虫能力の向上を図ることができる。また、粘着部４を紫外線を通す材料で構成した場合には、粘着部４が誘虫源２から放出される紫外線を遮ることがなくなるので、誘虫能力を向上させることができる。
【００２３】
次に、本実施形態の各種変形例について図面を参照して説明する。図４は、一変形例に係る捕虫器１を示す。本変形例の捕虫器１において、粘着部４の配置間隔Ｌ２は、筐体５の開口部５１ａ、５２ａから誘虫源２に近づくに連れて、狭くなっている。
【００２４】
本変形例においては、電極部３から離れた粘着部４で大型の虫Ｂ１を捕獲し、その粘着部４よりも電極部３に近い粘着部４で中型の虫Ｂ１を捕獲し、これら粘着部４を通過した小型の虫Ｂ１だけを電極部３で電撃殺虫することができる。従って、上記実施形態と比べ、電撃殺虫するのに必要な電極部３への印加電圧をさらに下げることができ、このため、電撃音をさらに小さくすることができる。また、電撃回数をさらに低減することができる。
【００２５】
図５は、上記とは別の変形例に係る捕虫器１を示す。本変形例の捕虫器１においては、筐体５の内底部５４は凹んでおり、筐体５の外底部５５に設けられた孔５５ａへ向けて傾斜したテーパ状である。回収箱５３は、筐体５の外底部５５に外部から取り付けられるものであり、その上部は筐体５の孔５５ａに対応した形状であって、孔５５ａに着脱可能に挿嵌されている。本変形例においては、筐体５の内底部５４上に落ちた虫Ｂ１は傾斜面を転がり又は滑り落ち、回収箱５３内に収容される。
【００２６】
なお、本発明は、上記の実施形態の構成に限定されるものでなく、使用目的に応じ、様々な変形が可能である。例えば、誘虫源２は、誘虫効果を有するものであれば特に限定されず、誘虫性が有る匂いを発する匂い発生源で構成されていても構わない。また、陽極３１と陰極３２とは、複数対ではなく、１対だけ設けられていてもよい。また、粘着部４は、直径が例えば略１［ｃｍ］の円柱棒に粘着剤をスプレー等で塗布して成るものであってもよい。この粘着剤は、水又は溶剤等で比較的容易に除去できるものであることが望ましい。
【図面の簡単な説明】
【００２７】
【図１】本発明の一実施形態に係る捕虫器の斜視図。
【図２】上記捕虫器の断面図。
【図３】（ａ）は上記捕虫器の粘着部の斜視図、（ｂ）はその断面図。
【図４】上記実施形態の一変形例に係る捕虫器の断面図。
【図５】上記とは別の変形例に係る捕虫器の断面図。
【符号の説明】
【００２８】
１  捕虫器
２  誘虫源
３  電極部
３１  陽極
３２  陰極
４  粘着部
４２  粘着層
４３  離形層
５  筐体
５１ａ、５２ａ  開口部
Ｌ１  陽極と陰極の配置間隔
Ｌ２  粘着部の配置間隔
【図１】
2010142207.tif 000003
【図２】
2010142207.tif 000004
【図３】
2010142207.tif 000005
【図４】
2010142207.tif 000006
【図５】
2010142207.tif 000007